(57)【要約】【課題】本発明は操作しやすく面積が大きなコンセントに差し込むことが可能な安全変換プラグを提供する。【解決手段】上蓋と、上蓋に結合される台座とからなる。上蓋には、導電端子部が収容される。本発明は、第一差込孔部と、第一スライドモジュールと、第二差込孔部と、第二スライドモジュールと、第一プラグ端子部と、第二プラグ端子部と、少なくとも一つの人体工学に適合するグリップ部とを備える。第一差込孔部は上蓋上に形成され、第一スライドモジュールは、上蓋内に収容されるとともに、導電端子部上に形成される。第二差込孔部は、上蓋の一側に形成され、第二スライドモジュールは、上蓋内に収容されるとともに導電端子部の一側に配置される。第一プラグ端子部と第二プラグ端子部は台座に枢設され、第一プラグ端子部は、少なくとも一つの補助部材に連結されて作動する。グリップ部は、上蓋の外壁に形成される。【選択図】図１
2014026774.tif 000002
【特許請求の範囲】
【請求項１】
上蓋と、前記上蓋に結合される台座とからなる安全変換プラグであって、
前記上蓋には、導電端子部が収容され、前記導電端子部はアースＥ極を備え、
前記安全変換プラグは、第一差込孔部と、第一スライドモジュールと、第二差込孔部と、第二スライドモジュールと、第一プラグ端子部と、第二プラグ端子部と、少なくとも一つの補助部材と、少なくとも一つの強制接地部と、少なくとも一つの接地部と、接地端子部と、差込棒とを備え、
前記第一差込孔部は、前記上蓋上に形成され、
前記第一スライドモジュールは、前記上蓋内に収容されるとともに、前記導電端子部上に配置され、
前記第二差込孔部は、前記上蓋の一側に形成され、
前記第二スライドモジュールは、前記上蓋内に収容されるとともに、前記導電端子部の側壁に配置され、
前記第一プラグ端子部は、前記台座に枢設され、
前記第二プラグ端子部は、前記台座に枢設されるとともに、前記第一プラグ端子部と交差して設けられ、
前記少なくとも一つの補助部材は、前記第一プラグ端子部と連結されて作動し、
前記少なくとも一つの強制接地部には、前記アースＥ極に電気的に接続された接地棒が設けられ、
前記少なくとも一つの接地部は、前記アースＥ極に電気的に接続され、
前記接地端子部は、イギリスプラグの規格に対応するとともに、前記台座に枢設され、
前記接地端子部には、複数の差込孔が形成され、
前記差込棒は、前記差込孔に差し込まれることを特徴とする、安全変換プラグ。
【請求項２】
前記第一スライドモジュールは、前記導電端子部上に形成される第一レール台部材と、前記第一レール台部材にスライド可能に設けられるとともに第一弾性部材と一緒に作動する第一スライド部材とを備え、
前記第二スライドモジュールは、前記導電端子部の一側に形成される第二レール台部材と、前記第二レール台部材上にスライド可能に設けられるとともに第二弾性部材と一緒に作動する第二スライド部材とを備え、
前記上蓋内には、少なくとも一つのインジケーターランプと、前記インジケーターランプ及び前記導電端子部に電気的に接続される抵抗器が収容され、前記上蓋の外壁箇所には、少なくとも一つの人体工学に適合するグリップ部が形成され、
前記導電端子部は、ライブＬ極とニュートラルＬ極を備え、前記上蓋内には、アメリカプラグの規格に対応する第一差込口プッシュブロックと、前記第一差込口プッシュブロックと一緒に作動する第二差込口プッシュブロックが収容され、
前記台座には、第二プラグ端子部の位置をずらすことが可能な回転溝が形成され、前記第一プラグ端子部には、伸縮可能な延伸部が枢設され、
前記上蓋内には、前記第二プラグ端子部を押しだすプッシュモジュールが設けられることを特徴とする、請求項１に記載の安全変換プラグ。
【発明の詳細な説明】
【技術分野】
【０００１】
本発明は変換プラグに関し、特に各種プラグの規格に適合させることができ、使用が便利な安全変換プラグに関する。
【背景技術】
【０００２】
変換プラグは海外旅行中に欠かせない備品である。変換プラグによって、電気製品の最も基本的なプラグ形式を変換して、二種類の異なる規格のプラグとコンセントを電気的に接続し、それにより、電気製品は電力を得ることができる。市場には、すでに、関連特許やその製品が出回っている。
【０００３】
海外旅行中にプラグ形式を旅行地のコンセントの規格に合うように変換させて電気製品に電力を得させるための機能としては、上述の各種変換プラグは十分である。しかしながら、機能が多いため、コンセントの大きさに合わせて、その体積も大きくなり、使用者にとっては、旅行中の負担になる。本発明者は、これに関連する業界に長年たずさわり、同様の機能を達成しつつ変換プラグの体積を小さくする研究を行ってきた。また、一般的なドイツやフランス式コンセントには、安全のために凹溝が設けられているため、現在万能変換プラグは、その凹溝に単独で対応するプラグを設計しなければならず、その他のプラグ端子と共用させることはできない（プラグ端子が短すぎる）。もし、この難題を突破した場合は、業界に非常に大きな影響をもたらす。この種の製品は、旅行者が待ち望んでいることでもある。
【発明の概要】
【発明が解決しようとする課題】
【０００４】
本発明は、人体工学に基づいたグリップ部と、補助部材と、第一スライドモジュールと、第二スライドモジュールとを設けることにより、操作者が取出しやすく、また、補助部材によって、第一プラグ端子部を面積が大きなコンセントに差し込むことが可能な安全変換プラグを提供することを目的とする。
【課題を解決するための手段】
【０００５】
上述の目的を達成するために、本発明による安全変換プラグは、主に、上蓋と、前記上蓋に結合される台座とからなる。前記上蓋には、導電端子部が収容される。前記安全変換プラグは、第一差込孔部と、第一スライドモジュールと、第二差込孔部と、第二スライドモジュールと、第一プラグ端子部と、第二プラグ端子部と、少なくとも一つの人体工学に適合するグリップ部と、を備える。第一差込孔部は、前記上蓋上に形成され、第一スライドモジュールは、前記上蓋内に収容されるとともに、前記導電端子部上に形成される。第二差込孔部は、前記上蓋の一側に形成され、第二スライドモジュールは、前記上蓋内に収容されるとともに前記導電端子部の一側に配置される。第一プラグ端子部と第二プラグ端子部は前記台座に枢設され、前記第一プラグ端子部は、少なくとも一つの補助部材に連結されて作動する。少なくとも一つの人体工学に適合するグリップ部は、前記上蓋の外壁箇所に形成される。
【発明の効果】
【０００６】
上述の構造により、本発明を使用すると、第一スライドモジュールと第二スライドモジュールを設けたことにより、プラグの片方が差し込まれて漏電するという問題を避けることができる。また、補助部材を設けたことにより、第一プラグ端子部を面積が大きなコンセントに差し込むことができる。
【図面の簡単な説明】
【０００７】
【図１】本発明の実施例１の斜視図である。
【図２】本発明の実施例１の分解図である。
【図３】本発明の実施例１の実施を示した説明図１である。
【図３Ａ】本発明の実施例１の実施を示した説明図２である。
【図４】本発明の実施例１の実施を示した説明図３である。
【図５】本発明の実施例１の実施を示した説明図４である。
【図６】本発明の実施例１の実施を示した説明図５である。
【図６Ａ】本発明の実施例１の実施を示した説明図６である。
【図６Ｂ】本発明の実施例１の実施を示した説明図７である。
【図６Ｃ】本発明の実施例１の実施を示した説明図８である。
【図６Ｄ】本発明の実施例１の実施を示した説明図９である。
【図６Ｅ】本発明の実施例１の実施を示した説明図１０である。
【図７】本発明の実施例２の実施を示した説明図１である。
【図７Ａ】本発明の実施例２の実施を示した説明図２である。
【図８】本発明の実施例２の実施を示した説明図３である。
【図９】本発明の実施例２の実施を示した説明図４である。
【図９Ａ】本発明の実施例２の実施を示した説明図５である。
【発明を実施するための形態】
【０００８】
（実施例１）
図１と図２を参照する。図１と図２は、本発明の実施例１の斜視図及び分解図である。図から分かるように、本発明による安全変換プラグは、主に、上蓋１０と、上蓋１０に結合される台座１１とからなる。上蓋１０には、導電端子部１２が収容され、導電端子部１２は、アースＥ極１２１を備える。前記安全変換プラグは、第一差込孔部１３と、第一スライドモジュール１４と、第二差込孔部１５と、第二スライドモジュール１６と、第一プラグ端子部１７と、第二プラグ端子部１８と、少なくとも一つの補助部材１９と、少なくとも一つの強制接地部２０と、少なくとも一つの接地部２１と、少なくとも一つの人体工学に適合するグリップ部２２と、からなる。
【０００９】
第一差込孔部１３は、上蓋１０に形成される。
【００１０】
第一スライドモジュール１４は、上蓋１０内に収容されるとともに、導電端子部１２上に配置される。第一スライドモジュール１４は、導電端子部１２上に形成される第一レール台部材１４１と、第一レール台部材１４１上にスライド可能に設けられるとともに第一弾性部材１４２と一緒に作動する第一スライド部材１４３とを備える。
【００１１】
第二差込孔部１５は、上蓋１０の一側に形成される。
【００１２】
第二スライドモジュール１６は、上蓋１０内に収容されるとともに、導電端子部１２の側壁に配置される。その内、第二スライドモジュール１６は、導電端子部１２の一側に形成する第二レール台部材１６１と、第二レール台部材１６１上にスライド可能に設けられるとともに第二弾性部材１６２と一緒に作動する第二スライド部材１６３とからなる。
【００１３】
第一プラグ端子部１７は、台座１１に枢設され、第一プラグ端子部１７には、伸縮可能な延伸部１７１が枢設される。
【００１４】
第二プラグ端子部１８は、台座１１上に枢設されるとともに、第一プラグ端子部１７と交差して設けられる。
【００１５】
少なくとも一つの補助部材１９は、第一プラグ端子部１７と連結して作動する。
【００１６】
少なくとも一つの強制接地部２０には、アースＥ極１２１に電気的に接続された接地棒２０１が設けられる。
【００１７】
少なくとも一つの接地部２１は、アースＥ極１２１に電気的に接続される。
【００１８】
少なくとも一つの人体工学に適合するグリップ部２２は、上蓋１０の外壁箇所に形成される。
【００１９】
台座１１上には、イギリスプラグの規格に対応する接地端子部２３が枢設され、上蓋１０内には、少なくとも一つのインジケーターランプ２４と、インジケーターランプ２４及び導電端子部１２に電気的に接続される抵抗器２５が収容される。上蓋１０内には、アメリカプラグの規格に対応する第一差込口プッシュブロック２６及び第一差込口プッシュブロック２６と一緒に作動する第二差込口プッシュブロック２７が収容され、上蓋１０内には、第二プラグ端子部１８を押しだすプッシュモジュール２８が設けられ、導電端子部１２は、さらに、ライブＬ極１２２とニュートラルＬ極１２３を備える。
【００２０】
上述の構造、組合せによる本発明の使用作動状況について以下に説明を行う。図３から図６Ｅを参照する。図３から図６Ｅは、本発明の実施例１の実施を示した説明図１から説明図１０である。図から分かるように、前記安全変換プラグの第一プラグ端子部１７、第二プラグ端子部１８は、それぞれ、ヨーロッパ式円形プラグ端子及びアメリカ式扁平型プラグ端子を例にとる。本発明の実施例１では、第一プラグ端子部１７、第二プラグ端子部１８の二種類のプラグ端子部の間隔が異なるようにしている。ヨーロッパ式円形プラグ端子の距離Ａは広く、アメリカ式扁平型プラグ端子の距離Ｂは短い。それにより、アメリカ式扁平型プラグ端子をヨーロッパ式円形プラグ端子距離Ａ内に設けた際に、両者が互いにぶつからない。収納した状態だと、第一プラグ端子部１７、第二プラグ端子部１８は、台座１１の一面に一緒に収納され、台座１１の外に突き出ず、安全変換プラグが占めるスペースを減らすことができる上、突き出ていることによって人や物を傷つけることがない。また、使用する状態だと、第一プラグ端子部１７或いは第二プラグ端子部１８を対応するコンセント内に差し込むことで、プラグが異なる規格のコンセントから電力を得ることができる。なお、本発明は、ヨーロッパ式のプラグ端子に限定されず、操作者が安全変換プラグを抜く時は、グリップ部２２を握ることによって簡単に引きぬくことができる。また、安全に対する考慮と、各国の異なる規格のプラグに対応するために、多くの国のコンセントは接地端を備えておりコンセント上に接地孔が設けられている（例えば、イギリス等）。それに対応するため、前記安全変換プラグには、接地端子部２３が設けられており、接地端子部２３は台座１１に枢設され、収納状態では台座１１内に収納されて台座１１の表面に付き出ず、使用状態では回転させて台座１１上に突き出て、コンセントの対応する接地孔内に差し込むことができる。また、第一プラグ端子部１７に枢設された延伸部１７１及び台座１１上に形成された回転溝１８１により、第一プラグ端子部１７を面積が大きい差込口内に差し込むことができる。もう一方で、プッシュモジュールにより、第二プラグ端子部１８を引き出して台座１１の表面に突出させる操作が行いやすくなり、それと同時に、回転溝１８１を用いることで第二プラグ端子部１８の角度をずらすことができる。上述したイギリス式コンセントの接地孔には、安全措置が設けられており、接地端子部２３を差し込んでいない状態では、対応するプラグ端子は、イギリス式コンセント内から電力を得ることはできない。本発明では、接地端子部２３を設けており、安全変換プラグの第一プラグ端子部１７はヨーロッパ式円形プラグ端子であるため、接地端子部２３を引っ張り出すと、前記ヨーロッパ式円形プラグ端子は、イギリス式コンセントから電力を得ることができる。接地端子部２３は、絶縁材料或いは導電材料からなるとともに、導電接地機能を有するものに限定されず、イギリス式コンセントの安全措置を解除でき、プラグ端子をコンセント内に差し込んで電力をとれるものであればよい。操作者が面積が大きい差込口に差し込みたい時は、補助部材１９により、操作者は差込口に差し込むことができる。また、本発明には、さらに、ＵＳＢプラグの規格に適合する連結孔２９が設けられ、操作者が使用することができる。また、イギリスプラグの規格に対応する接地端子部２３には、イスラエル、エジプト、アメリカ、スイス、イタリアのプラグ規格に適合する差込孔２３１が設けられ、それにより、操作者は、必要な国に対して差込棒２３２を差し込むことで、対応する接地を行うことができる。
【００２１】
（実施例２）
図７から図９Ａを参照する。図７から図９Ａは、本発明の実施例２の実施を示した説明図１から説明図５である。図から分かるように、操作者が、手或いは鋭い物で片側を安全変換プラグの第一差込孔部１３ａに差込んだ時は、第一スライド部材１４３ａは、片側が力を受けて第一レール台部材１４１ａ上でスライドすることができなくなるため、第一スライド部材１４３ａが第一レール台部材１４１ａと係止されて位置が固定され、感電を防止することができる。反対に、操作者が手でプラグをもって第一差込孔部１３ａに差し込んだ時は、プラグが第一スライド部材１４３ａに接触して動かすことにより、第一弾性部材１４２ａが圧縮されると同時に、第一スライド部材１４３ａはバランスを保ったまま、第一レール台部材１４１ａ上でスライド移動し、プラグと導電端子部が電気的に接続される。操作者が第二差込孔部１５ａを使用した場合の、第二スライドモジュール１６ａの作動は、前記動作と同じであるため、ここでは記載を省略する。また、アースＥ極１２１ａには、接地部２１ａが形成され、接地部２１ａは、アースＥ極１２１ａと電気的に接続される。それにより、ドイツ、フランスのプラグ規格に対応するプラグ３ａを差し込む時に、極性を正確に差し込むことができる。また、上蓋１０ａの外壁には、強制接地部２０ａが設けられ、強制接地部２０ａには、アースＥ極１２１ａに電気的に接続された伸縮可能な接地棒２０１ａが設けられる。それにより、プラグをどの方向に差し込んでも、強制接地部２０ａ及び接地棒２０１ａ及びアースＥ極１２１ａによって、接地させ導通させることができる。
【符号の説明】
【００２２】
１０、１０ａ          上蓋
１１                  台座
１２                  導電端子部
１２１、１２１ａ      アースＥ極
１２２                ライブＬ極
１２３                ニュートラルＬ極
１３、１３ａ          第一差込孔部
１４                  第一スライドモジュール
１４１、１４１ａ      第一レール台部材
１４２、１４２ａ      第一弾性部材
１４３、１４３ａ      第一スライド部材
１５、１５ａ          第二差込孔部
１６、１６ａ          第二スライドモジュール
１６１                第二レール台部材
１６２                第二弾性部材
１６３                第二スライド部材
１７                  第一プラグ端子部
１７１                延伸部
１８                  第二プラグ端子部
１８１                回転溝
１９                  補助部材
２０、２０ａ          強制接地部
２０１、２０１ａ      接地棒
２１、２１ａ          接地部
２２                  グリップ部
２３                  接地端子部
２３１                差込孔
２３２                差込棒
２４                  インジケーターランプ
２５                  抵抗器
２６                  第一差込口プッシュブロック
２７                  第二差込口プッシュブロック
２８                  プッシュモジュール
２９                  連結孔
３ａ                  プラグ
【図１】
2014026774.tif 000003
【図２】
2014026774.tif 000004
【図３】
2014026774.tif 000005
【図３Ａ】
2014026774.tif 000006
【図４】
2014026774.tif 000007
【図５】
2014026774.tif 000008
【図６】
2014026774.tif 000009
【図６Ａ】
2014026774.tif 000010
【図６Ｂ】
2014026774.tif 000011
【図６Ｃ】
2014026774.tif 000012
【図６Ｄ】
2014026774.tif 000013
【図６Ｅ】
2014026774.tif 000014
【図７】
2014026774.tif 000015
【図７Ａ】
2014026774.tif 000016
【図８】
2014026774.tif 000017
【図９】
2014026774.tif 000018
【図９Ａ】
2014026774.tif 000019